(57)【要約】【課題】通信機能を持った携帯端末を用いて商品を購入する際、携帯端末側の状態に応じて、購入可能な商品の一覧の取得、決済など、受付端末の動作を切り替えることができるようにする。【解決手段】  携帯端末に、受付端末の動作を切り替える決済要求フラグを持たせ、フラグが決済要求のときは携帯端末から購入希望商品を取得し購入の可否を判別した上で決済を、それ以外のときは受付端末が保持する最新の商品リストを携帯端末に転送し、携帯端末の表示機能に表示されている商品リストを更新する。【選択図】図１
2007257183.tif 000002
【特許請求の範囲】
【請求項１】
受付端末と携帯端末と商品リストを記憶する商品リスト記憶装置とからなる商品購入システムであって、
前記携帯端末は、
商品リストを表示する表示手段と、
購入する商品を選択する選択手段と、
商品購入の際の決済を行う決済手段と、
所定の受付端末との間で近距離通信を行う近距離通信手段と、
前記受付端末の動作を制御し、情報配信モードおよび決済モードのいずれか一方に動作モードを切り替える切替手段と、
前記切替のための決済要求フラグを記憶する記憶手段とを備え、
受付端末は、
前記携帯端末と通信をするための近距離通信機能を持ったリードライト手段と、
商品の購入要求を処理するための決済手段と
を備え、
前記携帯端末の前記表示手段に表示させる商品リストを記憶する前記商品リスト記憶装置は、前記受付端末が有する
ことを特徴とする商品購入システム。
【請求項２】
前記商品リスト記憶装置は、前記受付端末にネットワークを介して接続された所定のサーバのデータベースである
ことを特徴とする請求項１に記載の商品購入システム。
【請求項３】
前記商品リスト記憶装置は、前記携帯端末にネットワークを介して接続された所定のサーバのデータベースであり、前記商品リストは、前記受付端末から発行されたＩＤを元に、前記携帯端末に前記ネットワークを介して接続された前記サーバ上の前記データベースから取得される
ことを特徴とする請求項１に記載の商品購入システム。
【請求項４】
受付端末と携帯端末と商品リストを記憶する商品リスト記憶装置とからなる商品購入システムにおける商品購入方法であって、
前記携帯端末は、
商品リストを表示する表示ステップと、
購入する商品を選択する選択ステップと、
商品購入の際の決済を行う決済ステップと、
所定の受付端末との間で近距離通信を行う近距離通信ステップと、
前記受付端末の動作を制御し、情報配信モードおよび決済モードのいずれか一方に動作モードを切り替える切替ステップと、
前記切替のための決済要求フラグを記憶する記憶ステップとを備え、
受付端末は、
前記携帯端末と通信をするための近距離通信機能を持ったリードライトステップと、
商品の購入要求を処理するための決済ステップと
を備えることを特徴とする商品購入方法。
【請求項５】
前記商品リストは、前記受付端末から取得される
ことを特徴とする請求項４に記載の商品購入方法。
【請求項６】
前記商品リストは、前記受付端末にネットワークを介して接続された所定のサーバのデータベースから取得される
ことを特徴とする請求項４に記載の商品購入方法。
【請求項７】
前記商品リストは、前記受付端末から発行されたＩＤを元に、前記携帯端末にネットワークを介して接続された所定のサーバ上のデータベースから取得される
ことを特徴とする請求項４に記載の商品購入システム。
【請求項８】
受付端末と携帯端末と商品リストを記憶する商品リスト記憶装置とからなる商品購入システムを制御する商品購入プログラムであって、
前記携帯端末に、
商品リストを表示する表示ステップと、
購入する商品を選択する選択ステップと、
商品購入の際の決済を行う決済ステップと、
所定の受付端末との間で近距離通信を行う近距離通信ステップと、
前記受付端末の動作を制御し、情報配信モードおよび決済モードのいずれか一方に動作モードを切り替える切替ステップと、
前記切替のための決済要求フラグを記憶する記憶ステップとを実行させ、
受付端末に、
前記携帯端末と通信をするための近距離通信機能を持ったリードライトステップと、
商品の購入要求を処理するための決済ステップと
を実行させることを特徴とする商品購入プログラム。
【請求項９】
前記商品リストは、前記受付端末から取得される
ことを特徴とする請求項８に記載の商品購入プログラム。
【請求項１０】
前記商品リストは、前記受付端末にネットワークを介して接続された所定のサーバのデータベースから取得される
ことを特徴とする請求項８に記載の商品購入プログラム。
【請求項１１】
前記商品リストは、前記受付端末から発行されたＩＤを元に、前記携帯端末にネットワークを介して接続された所定のサーバ上のデータベースから取得される
ことを特徴とする請求項８に記載の商品購入プログラム。
【発明の詳細な説明】
【技術分野】
【０００１】
本発明は、商品購入システムおよび方法、並びにプログラムに関し、特に、情報取得および決済を、多対多の携帯端末と決済機能によって一連の動作で行うことができる近距離通信機能持った携帯端末を用いた商品購入システムおよび方法、並びにプログラムに関する。
【背景技術】
【０００２】
近年、携帯端末に通信機能が搭載され、電子マネー機能やネットワーク経由での決済が可能になるなど、携帯端末の高機能化が進んだことにより、携帯端末を用いた情報取得のサービスやシステム、および決済を行うサービスやシステムが提案されている。
例えば、特許文献１では、決済情報記憶手段が、決済情報を当該決済情報を特定する決済管理番号と共に記憶し、コード変換手段が、携帯端末装置から送信される決済要求情報に基づいて、決済情報記憶手段に記憶される決済情報から対象の決済管理番号を読み出し、当該決済管理番号を、コードパターンを規定するコード情報に変換し、コード情報送信手段が、コード変換手段が変換したコード情報を携帯端末装置に送信し、決済情報供給手段が、当該コード情報を受信した携帯端末装置の表示するコードパターンを読み取った決済装置から送られた決済管理番号により特定される決済情報を、当該決済装置に供給し、また、決済情報供給手段が、当該決済装置にて決済の請求金額を表示させて決済を行わせるために、決済情報を供給するようにして、携帯型情報端末等を使用して代金の支払い等を容易に行うことができるようにする技術について記載されている。
また、特許文献２では、支払人の携帯電話機において、請求書に表示された、請求人識別情報、及び、振込金額を少なくとも含む振込依頼情報がコード化されたコードパターンを読み取り、そのコードパターンから振込依頼情報を復号し、決済サーバへ接続して復号した振込依頼情報を送信し、決済サーバ１０が、支払人の本人認証を行い、振込依頼情報に基づいて、本人認証により特定された支払人の口座から振込先口座への振込処理を実行することにより、ネットワーク取引以外の決済においても、支払人が情報処理端末を用いて請求人への支払いを簡便に行えるようにする技術について記載されている。
また、特許文献３では、携帯電話機からの商品予約受付完了時に、予約サーバが予約識別番号を生成しバーコードに変換して携帯電話機に送信するとともに、予約識別番号に対応付けた予約明細情報を生成し指定された販売店の販売店端末装置に送信する手段と、顧客の商品受け取り時に、販売店端末装置が携帯電話機に表示されたバーコードを予約識別番号として読み取り、対応する予約明細情報を取得して表示する手段と、販売店端末装置が予約明細情報から商品代金決済のための決済依頼情報を生成し、携帯電話接続業者課金サーバに送信して決済を依頼する手段と、携帯電話接続業者課金サーバが商品代金を携帯電話機の電話料金とともに携帯電話機の顧客口座から徴収する手段とを有し、予約時に携帯電話機に保存した予約確証のバーコードを決済時に読み取り、予約商品の代金を携帯電話機の電話料金とともに自動徴収するようにした技術について記載されている。
また、特許文献４では、携帯電話機を用いてアクセスする利用者に電子プリペイドマネーを管理サーバにより販売し、販売された電子プリペイドマネーが管理サーバ内に記憶され、当該マネーの識別情報を示すバーコード画像を管理サーバから携帯電話機に送信し、利用者は、店舗で商品を注文したときに、携帯電話機の画面に前記バーコード画像を表示させ、当該商品に付された当該商品の価格を示すバーコードを読み取る店舗端末が、上記識別情報を示すバーコード画像を読み取り、前記価格と一緒に前記サーバに通知し、当該サーバが、通知された識別情報に基づいて当該利用者が購入した電子プリペイドマネーから、上記価格分の商品購入取引を決済することにより、店舗での商品購入取引を電子プリペイドマネーにより簡単にかつ迅速に決済可能にする技術について記載されている。
また、特許文献５では、携帯電話が、バリューの処理機能を備え、ユーザが、加盟店サーバで、商品を選択し、携帯電話の電子メールアドレスを送信し、加盟店サーバが、電子マネー処理サーバに決済する金額と携帯電話の電子メールアドレスを通知し、電子マネー処理サーバが、携帯電話に決済確認メールを送信し、決済確認メールに、電子マネー処理サーバの決済用サイトの決済ＵＲＬが埋め込まれるようにし、ユーザが決済ＵＲＬをクリックすると、携帯電話が電子マネー処理サーバに接続し、電子マネー処理サーバと携帯電話の間で通信が行われて、携帯電話に記憶されているバリューが減算され、決済が行われるようにして、ネットワークを介した電子マネーによる決済を容易に行うことができるようにした技術について記載されている。
また、特許文献６では、ディジタル固定網および移動通信網を有する通信ネットワークを介して、携帯端末がネット銀行システムから電子マネーをダウンロードして記憶し、携帯端末に記憶された電子マネーを用いて、携帯端末が商品販売サイトからチケット電子データを購入して記憶し、その後、ブルートゥース方式の微弱電波通信を通じて携帯端末と有価情報決済装置との間で決済が行われ、この決済によって携帯端末ではチケット電子データが減算され、有価情報決済装置ではチケット電子データが加算されるようにして、インターネット上で多種多様な有価情報を携帯端末にダウンロードして記憶するとともに、この有価情報を微弱電波通信（非接触）で容易かつ確実に決済できるようにする技術について記載されている。
また、特許文献７では、商品に取り付けられる商品保護機能付きの商品タグと、商品タグのタグＩＤおよびタグ無力化データと商品を特定する商品情報を対応付けて記憶するデータベースと、商品タグとデータ通信する携帯端末によって商品タグから読み取られたタグＩＤを受け取り、該タグＩＤに基づいてデータベースの内容から取引商品を特定し、携帯端末から電子マネーデータを受け取り、該電子マネーデータが取引商品の正当な代価であった場合にデータベースの該当するタグ無力化データを携帯端末に提供することにより、商品の代金決済を無人で行うことができ、且つ商品保護機能付きの商品タグを用いて商品の防犯上の管理を行うことができる商品管理システムを実現する技術について記載されている。
また、特許文献８では、配信装置から画像情報などのメニュー情報を無線伝送し、お客様端末にメニュー情報を表示し、所定の入力操作により、メニュー情報に対する選択情報を決定し、注文受け付け装置に無線伝送して選択情報を受け付けして表示することにより、飲食店などの店舗において、お客様端末に対してメニュー一覧を配信し、お客様がメニュー表示を見て選択を行うことにより、会計側で注文を受け付けて表示し、その受注内容に基づいて調理場に指示を出すことができるようにする技術について記載されている。
【特許文献１】特開２００５−３０２０４８
【特許文献２】特開２００５−３０２０４７
【特許文献３】特開２００２−３６６８７４
【特許文献４】特開２００３−０９９６８８
【特許文献５】特開２００４−３２６７２７
【特許文献６】特開２００２−２５９８８１
【特許文献７】特開２００４−０６２６４３
【特許文献８】特開２００２−０９９６０２
【発明の開示】
【発明が解決しようとする課題】
【０００３】
しかしながら、背景技術には次のような問題点があった。
第１の問題点は、従来の方法では、購入しようとする商品の情報を取得する際、手動もしくは自動的に商品に付与された識別タグから取得するか、商品の情報を直接入力する必要があるため、その場に実体を伴わない商品やサービスを、特定の場所で購入する、という行為は困難だということである。
第２の問題点は、従来の方法では、そのとき、その場所で、購入可能な商品の一覧を利用者に提示するためには、手動もしくは自動的に商品に付与された識別タグから取得するか、商品の情報を直接入力するか、もしくは有線・無線によって取得するということが必要とされるため、有線もしくは無線の通信によって一覧を携帯端末に取り込む必要がある場合、一覧取得用の端末を決済用の端末とは別に用意する必要があるということである。
本発明の目的は、利用者が携帯端末を用いて商品を購入する際、簡単な操作で購入可能な商品の一覧を取得し、簡単な操作で購入する商品を選択し、情報配信端末と決済端末をそれぞれ別途用意することなく、一つの受付端末によって情報配信と決済を行えるようにすることであり、この結果、携帯端末を用いた商品の購入が簡単に行えるようになる環境を提供することである。
【課題を解決するための手段】
【０００４】
請求項１に記載の商品購入システムは、受付端末と携帯端末と商品リストを記憶する商品リスト記憶装置とからなる商品購入システムであって、携帯端末は、商品リストを表示する表示手段と、購入する商品を選択する選択手段と、商品購入の際の決済を行う決済手段と、所定の受付端末との間で近距離通信を行う近距離通信手段と、受付端末の動作を制御し、情報配信モードおよび決済モードのいずれか一方に動作モードを切り替える切替手段と、切替のための決済要求フラグを記憶する記憶手段とを備え、 受付端末は、携帯端末と通信をするための近距離通信機能を持ったリードライト手段と、商品の購入要求を処理するための決済手段とを備え、携帯端末の表示手段に表示させる商品リストを記憶する商品リスト記憶装置は、受付端末が有することを特徴とする。
また、商品リスト記憶装置は、受付端末にネットワークを介して接続された所定のサーバのデータベースであるようにすることができる。
また、商品リスト記憶装置は、携帯端末にネットワークを介して接続された所定のサーバのデータベースであり、商品リストは、受付端末から発行されたＩＤを元に、携帯端末にネットワークを介して接続されたサーバ上のデータベースから取得されるようにすることができる。
請求項４に記載の商品購入方法は、受付端末と携帯端末と商品リストを記憶する商品リスト記憶装置とからなる商品購入システムにおける商品購入方法であって、携帯端末は、商品リストを表示する表示ステップと、購入する商品を選択する選択ステップと、商品購入の際の決済を行う決済ステップと、所定の受付端末との間で近距離通信を行う近距離通信ステップと、受付端末の動作を制御し、情報配信モードおよび決済モードのいずれか一方に動作モードを切り替える切替ステップと、切替のための決済要求フラグを記憶する記憶ステップとを備え、受付端末は、携帯端末と通信をするための近距離通信機能を持ったリードライトステップと、商品の購入要求を処理するための決済ステップとを備えることを特徴とする。
また、商品リストは、受付端末から取得されるようにすることができる。
また、商品リストは、受付端末にネットワークを介して接続された所定のサーバのデータベースから取得されるようにすることができる。
また、商品リストは、受付端末から発行されたＩＤを元に、携帯端末にネットワークを介して接続された所定のサーバ上のデータベースから取得されるようにすることができる。
請求項８に記載の商品購入プログラムは、受付端末と携帯端末と商品リストを記憶する商品リスト記憶装置とからなる商品購入システムを制御する商品購入プログラムであって、携帯端末に、商品リストを表示する表示ステップと、購入する商品を選択する選択ステップと、商品購入の際の決済を行う決済ステップと、所定の受付端末との間で近距離通信を行う近距離通信ステップと、受付端末の動作を制御し、情報配信モードおよび決済モードのいずれか一方に動作モードを切り替える切替ステップと、切替のための決済要求フラグを記憶する記憶ステップとを実行させ、受付端末に、携帯端末と通信をするための近距離通信機能を持ったリードライトステップと、商品の購入要求を処理するための決済ステップとを実行させることを特徴とする。
また、商品リストは、受付端末から取得されるようにすることができる。
また、商品リストは、受付端末にネットワークを介して接続された所定のサーバのデータベースから取得されるようにすることができる。
また、商品リストは、受付端末から発行されたＩＤを元に、携帯端末にネットワークを介して接続された所定のサーバ上のデータベースから取得されるようにすることができる。
【発明の効果】
【０００５】
本発明によれば、次のような効果が得られる。
第１の効果は、利用者が携帯端末を利用して商品を購入しようとする際、利用者は受付端末に対して携帯端末をかざす操作を行うだけで、商品リストの取得、および購入希望商品の決済を簡単に行うことができることである。
第２の効果は、利用者の携帯端末に商品リストの情報を提示する場合と、決済を行う場合とで、複数の受付端末を使い分ける必要がないため、受付端末の数、およびコストを削減することができることである。  
【発明を実施するための最良の形態】
【０００６】
図１は、本発明の第１の実施の形態の構成例を示す図である。図２は、第１の実施の形態の動作例を示す図である。
【０００７】
図１に示すように、携帯端末１０は、商品リストを表示することが可能な表示機能１２と、購入する商品を選択する項目選択手段１５と、受付端末２０との間で近距離通信を行う近距離通信機能１１と、商品購入の際に決済を行う決済機能１４と、受付端末２０の動作モードを、情報配信モードと決済モードとの間で切り替えるための決済要求フラグ１３を有する。
【０００８】
受付端末２０は、携帯端末１０との間の近距離通信のための近距離通信機能３１を持ったリーダ／ライタ３０と、商品購入要求を処理するための決済機能２１と、携帯端末１０に転送して携帯端末１０の表示機能１２に表示させる商品リスト２２とを持つ。この商品リスト２２は、図示しないフラッシュメモリ等に記憶されている。
【０００９】
携帯端末１０は、例えば、不揮発メモリと無線通信チップを内蔵した樹脂製のカードで、読み取り端末にかざすだけで料金の精算などのデータのやり取りができる、いわゆるＦｅｌｉＣａチップなどを搭載した携帯電話、ＰＨＳ（Personal Handyphone System）、ＰＤＡ（Personal Digital Assistants）、パーソナルコンピュータ等であり、商品リストを図示しない液晶表示装置等に表示することが可能な表示機能１２と、購入する商品を選択するためのボタン、ボール、ホイル、スライドパッド、タッチパネル、ポインティングデバイス、キーボードなどの項目選択手段１５と、受付端末２０との通信のための、ＲＦＩＤ（Radio Frequency Identification）、赤外線、ブルートゥース（Bluetooth）などの無線により、または、端子の接触により、または、音声信号、画像信号の生成および読み取りなどによる近距離通信機能１１と、商品購入の際に、いわゆるモバイルＳｕｉｃａやモバイルＥｄｙなどの電子マネー、電子クレジットカード、電子クーポンなどを用いる決済機能１４と、受付端末２０の動作を切り替えるための決済要求フラグ１３とを有する。
【００１０】
決済要求フラグ１３は、図示しないフラッシュメモリ等に記憶されており、オン（ＯＮ）とオフ（ＯＦＦ）のそれぞれの状態を対応する値によって表すことができ、初期状態ではＯＦＦである。決済要求フラグ１３をＯＮ（例えば、値１）またはＯＦＦ（例えば、値０）に切り替えることにより、携帯端末１０を受付端末２０のリーダ／ライタ３０にかざした際に、受付端末２０によって実行される動作を、商品リストの更新処理、および購入希望商品情報を基に決済を行う決済処理のいずれかに制御することができる。
【００１１】
携帯端末１０としてＦｅｌｉＣａチップなどを搭載した携帯電話を用いる場合、決済要求フラグ１３は、携帯端末１０内のＦｅｌｉＣａチップの図示しないフラッシュメモリ等の記憶領域に格納される。
【００１２】
受付端末２０は、携帯端末１０の近距離通信機能１１との間で通信を行うための、近距離通信機能１１に対応した近距離通信機能３１を持つリーダ／ライタ３０と、商品購入要求を処理するための決済機能１４に対応した決済機能２１と、携帯端末１０に転送し表示させる商品リスト２２とを持つ。この商品リスト２２は、図示しないフラッシュメモリ等に記憶されている。
【００１３】
携帯端末１０として携帯電話を用いる場合の近距離通信機能３１には、例えばＦｅｌｉＣａなどのＲＦＩＤを用いる方法があり、この場合、携帯端末１０側の近距離通信機能１１はＦｅｌｉＣａタグであり、受付端末２０のリーダ／ライタ３０側の近距離通信機能３１はＦｅｌｉＣａリーダ／ライタである。
【００１４】
図２に示すように、まず、携帯端末１０を受付端末２０にかざし、受付端末２０から近距離通信機能３１および近距離通信機能１１を介して商品リスト２２を取得する。次に、携帯端末１０の図示しない液晶表示装置に表示された商品リスト２２から、購入希望の商品をボタン等からなる項目選択手段１５を操作して選択し、決済モードへの切り替えを指示する。次に、携帯端末１０を受付端末２０にかざし、決済機能１４および決済機能２１により購入代金が決済される。
【００１５】
図３は、本発明の処理手順を示すフローチャートである。まず、ステップＡ０１において、決済要求フラグ１３がＯＮであるか否かが判定される。ＯＮである場合、ステップＡ１０において、購入希望商品ＩＤ、または商品リストのＩＤを携帯端末１０から取得する。
【００１６】
次に、ステップＡ１１において、希望商品の購入が可能であるか否かが判定される。希望商品の購入が可能であると判定された場合、ステップＡ１２において決済処理を実行する。その後、ステップＡ１３に進む。希望商品の購入が可能でない場合、ステップＡ１３に進む。ステップＡ１３においては、決済要求フラグがＯＦＦにされる。
【００１７】
一方、ステップＡ０１において、決済要求フラグがＯＦＦであると判定された場合、ステップＡ２０に進む。ステップＡ２０においては、携帯端末１０の商品リスト２２を更新する。
【００１８】
次に、ステップＡ２１において、購入希望商品が指示されると、ステップＡ２２において、決済要求フラグがＯＮにされる。ステップＡ１３の処理、またはステップＡ２２の処理が終了すると、本処理を終了する。
【００１９】
図４は、本発明の第２の実施の形態の動作を示すフローチャートである。第１の実施の形態では、利用者がＦｅｌｉＣａチップなどを搭載した携帯電話などの携帯端末１０を所持している状況において、利用者が携帯端末１０を受付端末２０のリーダ／ライタ３０にかざすと（ステップＢ０１）、携帯端末１０の決済要求フラグ１３の初期状態がＯＦＦであることから、近距離通信機能１１および近距離通信機能３１を通じて、受付端末２０の商品リスト２２が携帯端末１０に転送され（ステップＢ１０）、表示機能１２によって図示しない液晶表示装置に表示され、提示される（ステップＢ０２）。
【００２０】
利用者は、表示機能１２によって液晶表示装置に提示された商品リスト２２から、項目選択手段１５によって、購入する商品を選択決定し（ステップＢ０３）、決済要求フラグ１３をＯＮに切り替える（ステップＢ０４）。決済要求フラグ１３がＯＮの状態で、利用者が携帯端末１０を受付端末２０のリーダ／ライタ３０にかざすと（ステップＢ０５）、受付端末２０は、購入希望の商品リストを携帯端末１０に要求し（ステップＢ１１）、携帯端末１０は、購入希望の商品リストを受付端末２０に転送し（ステップＢ０６）、近距離通信機能１１および近距離通信機能３１を通して商品の購入の可否が確認され（ステップＢ１２）、商品の購入が可能であれば、決済機能１４および決済機能２１によって決済が行われ（受付端末２０が代金の決済を携帯端末１０に要求し（ステップＢ１３）、携帯端末１０が電子マネー等を利用して代金を支払い（ステップＢ０７））、決済要求フラグ１３がＯＦＦになる。その後、商品の引き渡しが行われる（ステップＢ１４）。
【００２１】
商品が購入可能でなければ、決済は行われず、決済要求フラグ１３のみＯＦＦになる。決済要求フラグ１３がＯＦＦの状態で、利用者が携帯端末１０を受付端末２０のリーダ／ライタ３０に接近させると、近距離通信機能１１および近距離通信機能３１を通して商品のリストの更新が行われる、  
【００２２】
図５は、本発明の第２の実施の形態の構成図である。図６は、本発明の第２の実施の形態の動作を表したフローチャートである。
【００２３】
第２の実施の形態において、受付端末２０は、携帯端末１０の近距離通信機能１１との間で通信を行うための、近距離通信機能１１に対応した近距離通信機能３１を持つリーダ／ライタ３０と、商品購入要求を処理するための決済機能１４に対応した決済機能２１とを持ち、ネットワーク９０を介して、商品情報の登録されたデータベース４１を持ったサーバ４０に接続される。商品情報は、図１の商品リスト２２に対応するものであり、サーバ４０から商品リストが携帯端末１０に転送される。
【００２４】
図６におけるステップＣ１１乃至Ｃ１７の処理は、図４のステップＢ０１乃至Ｂ０７にそれぞれ対応しているのでその説明は省略する。また、ステップＣ２１においては、購入可能な商品リストの転送をサーバ４０に要求し、サーバ４０は、ステップＣ４１において、購入可能な商品リストをデータベース４１から検索して携帯端末１０に転送する。
【００２５】
ステップＣ２３においては、携帯端末１０から購入希望の商品が転送されてきたとき、購入希望の商品をサーバ４０に転送し、サーバ４０は、ステップＣ４２において、購入希望の商品の購入の可否をチェックし、その結果を受付端末２０に送信する。その他の処理は、図４の処理と同様である。
【００２６】
図７は、本発明の第３の実施の形態の構成図である。図８は、本発明の第３の実施の形態の動作を表した図である。
【００２７】
第３の実施の形態において、携帯端末１０は、例えばＦｅｌｉＣａチップなどを搭載した携帯電話、ＰＨＳ、ＰＤＡ、パーソナルコンピュータなど、通信機能を持ったものであり、商品リストを表示することが可能な表示機能１２と、購入する商品を選択するためのボタン、ボール、ホイル、スライドパッド、タッチパネル、ポインティングデバイス、キーボードなどの項目選択手段１５と、受付端末２０との通信のための、ＲＦＩＤ、赤外線、ブルートゥースなどの無線、端子の接触、音声信号、画像生成および読み取りなどによる近距離通信機能１１、商品購入の際の、モバイルＳｕｉｃａやモバイルＥｄｙなど電子マネー、電子クレジットカード、電子クーポンなどの決済機能１４、受付端末２０の動作を切り替えるための決済要求フラグ１３を持ち、ネットワーク９１を介して、商品情報の登録されたデータベース４１を持ったサーバ４０に接続される。
【００２８】
受付端末２０は、携帯端末１０の近距離通信機能１１との間で通信を行うための、近距離通信機能１１に対応した近距離通信機能３１を持つリーダ／ライタ３０と、商品購入要求を処理するための決済機能１４に対応した決済機能２１を持つ。
【００２９】
携帯端末１０を受付端末２０にかざすと（ステップＤ１１）、受付端末２０は端末の識別ＩＤを携帯端末１０に転送する（ステップＤ２１）。携帯端末１０が端末識別ＩＤに対応する商品リストをサーバ４０にネットワーク９１を介して要求すると（ステップＤ１２）、サーバ４０は、購入可能な商品リストを携帯端末１０に転送する（ステップＤ４１）。
【００３０】
携帯端末１０は、商品リストを表示し（ステップＤ１３）、項目選択手段１５を用いて購入希望の商品が選択されると（ステップＤ１４）、購入希望の商品リストがサーバ４０に転送される（ステップＤ１５）。サーバ４０は、購入希望の商品の購入の可否をチェックし（ステップＤ４２）、その結果を携帯端末１０に送信する。
【００３１】
携帯端末１０は、動作モードを決済モードに切り替える（ステップＤ１６）。携帯端末１０を受付端末２０のリーダ／ライタにかざすと（ステップＤ１７）、電子マネーなどと利用して代金が支払われ（ステップＤ１８）、受付端末２０において代金決済が行われた後、決済完了情報が携帯端末１０に転送される（ステップＤ２２）。
【００３２】
なお、上記各実施の形態において、携帯端末１０に現在の動作モードを表示する機能を付加することができる。また、受付端末２０に、通信が行われた携帯端末１０の動作モードを表示し、その確認を促す機能を付加することができる。
【００３３】
上記実施の形態の構成及び動作は例であって、本発明の趣旨を逸脱しない範囲で適宜変更することができることは言うまでもない。
【産業上の利用可能性】
【００３４】
本発明によって、利用者は、携帯端末を受付端末にかざすことにより、その携帯端末の状況に応じて、商品リストの取得と決済を行うことが可能となり、携帯端末を用いた商品の購入が簡単に行えるようになる。また、携帯端末および受付端末の各機能がそれら本体以外のネットワークがなくても成立するため、無線通信に制限のある屋内や有線通信に制限のある屋外でも、手軽に情報配信、商品購入を行うことが可能となる。  
【図面の簡単な説明】
【００３５】
【図１】本発明の第１の実施の形態の構成例を示す図である。
【図２】本発明の第１の実施の形態の動作例を示す図である。
【図３】本発明の第１の実施の形態の処理手順を説明するためのフローチャートである。
【図４】本発明の第１の実施の形態の各部の動作を説明するためのフローチャートである。
【図５】本発明の第２の実施の形態の構成例を示す図である。
【図６】本発明の第２の実施の形態の各部の動作を説明するためのフローチャートである。
【図７】本発明の第３の実施の形態の構成例を示す図である。
【図８】本発明の第３の実施の形態の各部の動作を説明するためのフローチャートである。
【符号の説明】
【００３６】
１０  携帯端末
１１  近距離通信機能
１２  表示機能
１３  決済要求フラグ
１４  決済機能
１５  項目選択手段
２０  受付端末
２１  決済機能
２２  商品リスト
３０  リーダ／ライタ
３１  近距離通信機能
４０  サーバ
４１  データベース
９０，９１  ネットワーク
２００  端末識別ＩＤ
【図１】
2007257183.tif 000003
【図２】
2007257183.tif 000004
【図３】
2007257183.tif 000005
【図４】
2007257183.tif 000006
【図５】
2007257183.tif 000007
【図６】
2007257183.tif 000008
【図７】
2007257183.tif 000009
【図８】
2007257183.tif 000010